(57)【要約】      （修正有）【課題】額縁の如き風合いを有するように構成して見栄えを良くすると共に、ポスター等の掲示物の交換時には手際よく迅速に行うことができ、更に複数の掲示物を左右方向に並べて掲示することができるようにする。【解決手段】所要の広さを有する方形のパネル１と、前記パネル１の左右側縁に夫々取着し、パネル１の前面に保持するシート状掲示物の側縁部を差し込んで保持する側縁保持フレーム３、４と、前記パネル１の上下端部に夫々取着し、内外方向に回動する押圧片１４によって掲示物の上下端部を夫々挟持するようになした上下端部保持フレーム５、５′とをもって構成する。更に、左右方向に並べて掲示する複数の掲示物の夫々の大きさに合わせてパネル１の前面の適宜の位置に、掲示物の側縁を固定する、両面を剥離自在に貼着可能に処理したテープ等からなる適宜の部材１９を備える。【選択図】図１
0003119948.tif 000002
【実用新案登録請求の範囲】
【請求項１】
所要の広さを有する方形のパネルと、前記パネルの左右側縁に夫々取着し、パネルの前面に保持するシート状掲示物の側縁部を差し込んで保持する側縁保持フレームと、前記パネルの上下端部に夫々取着し、内外方向に回動する押圧片によって掲示物の上下端部を夫々挟持するようになした上下端部保持フレームとからなる掲示板であって、左右方向に並べて掲示する複数の掲示物の夫々の大きさに合わせてパネルの前面の適宜の位置に、掲示物の側縁を固定する部材を備えたことを特徴とする掲示板。
【請求項２】
掲示物の側縁を固定する部材が、両面を剥離自在に貼着可能に処理したテープである請求項１記載の掲示板。
【請求項３】
掲示物の側縁を固定する部材が、左右側面に差込口を有する軸断面工字形の帯状板である請求項１記載の掲示板。
【請求項４】
側縁保持フレームが、前面側の内側部分をパネルの中心部側に向けて適宜の角度に傾斜させると共にその先端とパネルとの間に差込口を形成する、軸断面略台形状の側縁保持フレームである請求項１、２又は３記載の掲示板。
【請求項５】
側縁保持フレームの上下端部の夫々と、上下端部保持フレームにおける押圧片の左右端部の夫々に、保護キャップを被着してなる請求項１、２、３又は４記載の掲示板。
【請求項６】
上下端部保持フレームが、裏面壁の内側端にパネルの背面を受ける受片を突設し、該パネルの背面を受ける受片の基部に、直角にパネルの外縁部を受ける受片を突設すると共に該パネルの外縁部を受ける受片に、その中間部に内側に向かう突片と上端部に外側に向かう突片とを形成し、更に、裏面壁の外側端に外側壁を直角に突設し、該外側壁の上端部に断面円形の軸部を連成してなるベースフレームの前記軸部に、内端を鋭角に屈曲して掲示物の前面を押さえる押さえ部を形成する一方、外端に前記ベースフレームの軸部を摺動自在に嵌合する軸受部を設けると共に該軸受部の内側部分に、断面直角形状のカムを形成した押圧片の前記軸受部を嵌合して該押圧片を内外方向に回動自在とし、更に前記ベースフレームのパネルの外縁部を受ける受片と前記押圧片のカムとの間に拡圧ばね体を縮設し、前記押圧片が拡圧ばね体の弾力により死点を境に開閉いずれにも附勢され、クリックモーションを行うようになした上下端部保持フレームである請求項１、２、３、４又は５記載の掲示板。
【請求項７】
拡圧ばね体が、波形に折曲した板ばねである請求項６記載の掲示板。
【請求項８】
拡圧ばね体が、断面Ｍ字形の板ばねである請求項６記載の掲示板。
【請求項９】
拡圧ばね体が、平面長円形に形成した板ばねである請求項６記載の掲示板。
【請求項１０】
押圧片の軸受部が筒状である請求項６、７、８又は９記載の掲示板。
【請求項１１】
押圧片の軸受部が断面半円状である請求項６、７、８又は９記載の掲示板。
【請求項１２】
上下端部保持フレームのベースフレームにおける外側壁の上端部と押圧片における軸受部との隙間に、上下端部保持フレームとは別体の、押圧片の閉止状態を保持するための断面Ｌ字形のロック部材における差込片を差し込むようにしてなる請求項６、７、８、９、１０又は１１記載の掲示板。
【考案の詳細な説明】
【技術分野】
【０００１】
本考案はポスターや絵画等のシート状掲示物を掲示する掲示板に関し、更に詳細には交換作業を手際よく迅速に行うことができると共に、これらの掲示物を複数左右方向に並べて掲示することができるようになした掲示板に係わる。
【背景技術】
【０００２】
鉄道の駅、病院、銀行等の人が大勢集まる場所においては、ポスター等の多数の掲示物が掲示されている。そして、それらは壁面に一般的に画鋲によって、或いは粘着テープによって止められている。しかし、これらの場合にはポスター等の掲示物の交換時において一つ一つ画鋲をとり外さなければならず、能率が悪い。殊に、鉄道の駅等に掲示されるポスターは、一枚が非常に大きく、そのため画鋲を使用していたのでは、その能率の悪さはきわめて著しい。特に広告等のポスターは一度に多数の交換を行う必要があり、多大な労力と時間を要する。また、画鋲は目につくことから見栄えも悪かった。
【０００３】
また、パネルを用いた掲示板もあるが、壁面に止める場合と同様に画鋲や粘着テープを用いて止めるものであるため、同様の問題点がある。そしてまた、一枚のパネルには一枚のポスター等しか貼ることができなかった。
【考案の開示】
【考案が解決しようとする課題】
【０００４】
本考案は上記の点に鑑みなされたものであって、額縁の如き風合いを有するように構成して見栄えを良くすると共に、上下端部を押さえる押圧片を内外方向に回動させる前面開放式になして、ポスター等の掲示物の交換時には、手際よく迅速に行うことができ、更に複数の掲示物を左右方向に並べて掲示することができるようになした掲示板を提供せんとするものである。
【課題を解決するための手段】
【０００５】
而して、本考案の要旨とするところは、所要の広さを有する方形のパネルと、前記パネルの左右側縁に夫々取着し、パネルの前面に保持するシート状掲示物の側縁部を差し込んで保持する側縁保持フレームと、前記パネルの上下端部に夫々取着し、内外方向に回動する押圧片によって掲示物の上下端部を夫々挟持するようになした上下端部保持フレームとからなる掲示板であって、左右方向に並べて掲示する複数の掲示物の夫々の大きさに合わせてパネルの前面の適宜の位置に、掲示物の側縁を固定する部材を備えたことを特徴とする掲示板にある。
【０００６】
また、上記構成において、掲示物の側縁を固定する部材の具体例としては、両面を剥離自在に貼着可能に処理したテープ或いは左右側面に差込口を有する軸断面工字形の帯状板を挙げることができる。
【０００７】
また、上記構成において、側縁保持フレームとしては、前面側の内側部分をパネルの中心部側に向けて適宜の角度に傾斜させると共にその先端とパネルとの間に差込口を形成する、軸断面略台形状の側縁保持フレームであることが望ましい。この場合には、内側部分の傾斜面が風避けとなり、ポスター等の側縁部のめくれを防止することができる。
【０００８】
また、上記構成において、側縁保持フレームの上下端部の夫々と、上下端部保持フレームにおける押圧片の左右端部の夫々に、保護キャップを被着するようにしてもよい。この場合には、上下端部保持フレームにおける押圧片を開閉して掲示物を交換する際に、該上下端部保持フレームにおける押圧片の左右の端部と側縁保持フレームの上下の端部の鋭角な縁によって手指が擦傷することを防ぐことができる。
【０００９】
また、上記構成において、上下端部保持フレームの具体例としては、裏面壁の内側端にパネルの背面を受ける受片を突設し、該パネルの背面を受ける受片の基部に、直角にパネルの外縁部を受ける受片を突設すると共に該パネルの外縁部を受ける受片に、その中間部に内側に向かう突片と上端部に外側に向かう突片とを形成し、更に、裏面壁の外側端に外側壁を直角に突設し、該外側壁の上端部に断面円形の軸部を連成してなるベースフレームの前記軸部に、内端を鋭角に屈曲して掲示物の前面を押さえる押さえ部を形成する一方、外端に前記ベースフレームの軸部を摺動自在に嵌合する軸受部を設けると共に該軸受部の内側部分に、断面直角形状のカムを形成した押圧片の前記軸受部を嵌合して該押圧片を内外方向に回動自在とし、更に前記ベースフレームのパネルの外縁部を受ける受片と前記押圧片のカムとの間に拡圧ばね体を縮設し、前記押圧片が拡圧ばね体の弾力により死点を境に開閉いずれにも附勢され、クリックモーションを行うようになした上下端部保持フレームを挙げることができる。
【００１０】
また、上記具体例として示した上下端部保持フレームの構成において、拡圧ばね体の具体例としては、波形に折曲した板ばねや断面Ｍ字形の板ばね、更にまた平面長円形に形成した板ばねを挙げることができる。
【００１１】
また、上記具体例として示した上下端部保持フレームの構成において、押圧片の軸受部の具体例としては、筒状や断面半円状となしたものを挙げることができる。
【００１２】
また、上記構成において、上下端部保持フレームのベースフレームにおける外側壁の上端部と押圧片における軸受部との隙間に、上下端部保持フレームとは別体の、押圧片の閉止状態を保持するための断面Ｌ字形のロック部材における差込片を差し込むようになしてもよい。この場合には、掲示中のポスターの盗難被害を極力少なくすることができる。
【考案の効果】
【００１３】
本考案は上記の如き構成であり、額縁の如き風合いを有するものであるから、従来の画鋲や粘着テープを用いて止める場合に比して見栄えを格段に向上させることができるものである。また、上下端部を押さえる押圧片を内外方向に回動させる前面開放式になしたから、ポスター等の掲示物の交換を手際よく迅速に行うことができるものである。加えて、複数の掲示物を左右方向に並べて掲示することができるようになしたから、掲示板としての利用価値を向上させることができる。また、並べて掲示した掲示物の交換も個別に自由に行うことができるものである。
【考案を実施するための最良の形態】
【００１４】
本考案を実施するための最良の形態は、所要の広さを有する方形のパネルと、前記パネルの左右側縁に夫々取着し、パネルの前面に保持するシート状掲示物の側縁部を差し込んで保持する側縁保持フレームと、前記パネルの上下端部に夫々取着し、内外方向に回動する押圧片によって掲示物の上下端部を夫々挟持するようになした上下端部保持フレームとからなり、更に、左右方向に並べて掲示する複数の掲示物の夫々の大きさに合わせてパネルの前面の適宜の位置に、掲示物の側縁を固定する、両面を剥離自在に貼着可能に処理したテープ等からなる適宜の部材を備えたことにある。
【実施例１】
【００１５】
以下、本考案の実施例について説明する。
図１は本考案の実施例１に係る掲示板の斜視図、図２は掲示板における左側部分の拡大断面図、図３は掲示板の左側外部上方から看た、パネルを省略して示した部分拡大斜視図、図４は掲示板の左側内部下方から看た、パネルを省略して示した部分拡大斜視図、図５は左側の側縁保持フレームの上端部に被着する保護キャップの正面図、図６は同保護キャップの左側面図、図７は同保護キャップの右側面図、図８は同保護キャップの底面図、図９は図６中Ａ−Ａ線断面図、図１０は図７中Ｂ−Ｂ線断面図、図１１は左側の側縁保持フレームの上端部に被着する保護キャップの左側上方から看た斜視図、図１２は左側の側縁保持フレームの上端部に被着する保護キャップの右側下方から看た斜視図、図１３は左側の側縁保持フレームの上端部に被着する保護キャップの左側下方から看た斜視図、図１４は上側の上下端部保持フレームの左側端部に被着する保護キャップの正面図、図１５は同保護キャップの左側面図、図１６は同保護キャップの右側面図、図１７は同保護キャップの背面図、図１８は同保護キャップの平面図、図１９は図１６中Ｃ−Ｃ線断面図、図２０はロック部材の正面図、図２１は同ロック部材の平面図、図２２は図２０中Ｄ−Ｄ線断面図、図２３は図２０中Ｅ−Ｅ線断面図、図２４は掲示板における中央部分の拡大断面図、図２５は掲示板における上端部分の分解状態の斜視図、図２６は外面側から看た上下端部保持フレームにおけるベースフレームと押圧片の部分拡大図、図２７は上下端部保持フレームの押圧片を開いた状態の断面図、図２８は上下端部保持フレームの押圧片が半分閉じて死点の位置にある状態の断面図、図２９は上下端部保持フレームの押圧片を閉じた状態の断面図である。
【００１６】
図中、１は所要の広さを有する樹脂等からなる方形のパネルである。２は前記パネル１の前面に保持するポスター等のシート状掲示物である。
【００１７】
３、４は前記パネル１の左右側縁に夫々取着し、シート状掲示物２の側縁部を差し込んで保持する側縁保持フレームである。また、該側縁保持フレーム３、４は、対称形状に構成されており、その内の一方の側縁保持フレーム３について説明すると、軸断面略台形状をなし、前面側の内側部分３Ａをパネル１の中心部側に向けて適宜の角度に傾斜させると共にその先端とパネル１との間に差込口３ａを形成するものである。
【００１８】
５、５′は前記パネル１の上下端部に夫々取着し、内外方向に回動する押圧片によって掲示物の上下端部を夫々挟持するようになした上下端部保持フレームである。また、該上下端部保持フレーム５、５′は、同一の構成とされている。更に、該上下端部保持フレーム５、５′は、本実施例においては後記掲示物の側縁を固定する部材の位置を挟んで左右に独立した別々のものを取着している。
【００１９】
また、前記の通り上下端部保持フレーム５、５′は同一の構成であるから、以下一方側の上端部保持フレーム５についてのみ説明する。該上端部保持フレーム５は、裏面壁７の内側端にパネル１の背面を受ける受片８を突設し、該パネル１の背面を受ける受片８の基部に、直角にパネル１の外縁部を受ける受片９を突設すると共に該パネル１の外縁部を受ける受片９に、その中間部に内側に向かう突片１０と上端部に外側に向かう突片１１とを形成し、裏面壁７の外側端に外側壁１２を直角に突設し、該外側壁１２の上端部に断面円形の軸部１３を連成してなるベースフレーム６の前記軸部１３に、内端を鋭角に屈曲して掲示物の前面を押さえる押さえ部１５を形成する一方、外端に前記ベースフレーム６の軸部１３を摺動自在に嵌合する筒状の軸受部１６を設けると共に該軸受部１６の内側部分に、断面直角形状のカム１７を形成した押圧片１４の前記軸受部１６を嵌合して該押圧片１４を内外方向に回動自在とし、更に前記ベースフレーム６のパネル１の外縁部を受ける受片９と前記押圧片１４のカム１７との間に波形に折曲した拡圧板ばね体１８を縮設し、前記押圧片１４が波形に折曲した拡圧板ばね体１８の弾力により死点を境に開閉いずれにも附勢され、クリックモーションを行うようになしたものである。
【００２０】
次に、該上端部保持フレーム５の作用について説明する。
該上端部保持フレーム５は、ベースフレーム６における受片８と受片１０との間にパネル１の上端縁を差し込み、もってパネル１の上端に固定するものである。そして、図２７には押圧片１４を開いた状態を示し、また図２９には押圧片１４を閉じて掲示物２を保持した状態を示している。そしてまた、図２８には押圧片１４を半分閉じて死点の位置にある状態を示している。また、図２７から図２８に至る状態にあっては、押圧片１４を閉じることによってその軸受部１６に形成した断面直角状のカム１７が回動し、その最も高い部分である角部１７ａが波形に折曲した拡圧板ばね体１８を押し出し、これを緊縮させるものである。そして、該カム１７の角部１７ａとベースフレーム６の軸部１３の中心１３ａとを通る線Ａがベースフレーム６の裏面壁７と平行になったときに死点となり、波形に折曲した拡圧板ばね体１８の緊縮状態は最高となる。そして、この位置を過ぎると、即ちカム１７の角部１７ａが線Ａよりずれると、今度は波形に折曲した拡圧板ばね体１８が拡圧して該カム１７の角部１７ａを押し出し、押圧片１４を閉じる方向に附勢するものである。
【００２１】
１９は掲示物の側縁を固定する部材であり、本実施例では両面を剥離自在に貼着可能に処理したテープをもって構成している。即ち、このテープは、それ自身の位置を変えたり、掲示物の貼り替え時に繰り返し剥離、貼着が可能なテープである。また、該掲示物の側縁を固定する部材１９は、左右方向に並べて掲示する複数の掲示物の夫々の大きさに合わせて、パネル１の前面の適宜の位置に備えるものであり、本実施例では同大のポスターを左右に２枚並べて保持するようにするために、パネル１の中央部に縦に備えている。
【００２２】
次に、本実施例の作用について説明する。
先ず、ポスター等の掲示物２のパネル１への保持について説明すると、上下端部保持フレーム５、５′の夫々の押圧片１４を開いて、２枚の掲示物２の夫々の外側の側縁を左右の側縁保持フレーム３、４の夫々に差し込んで止め、これら２枚の掲示物の内側の側縁を部材１９に貼着する。そしてその後上下端部保持フレーム５、５′の夫々の押圧片１４を閉じるものである。また、ポスター等の２枚の掲示物２は、前記と同様の手順により夫々別々に交換することも自由に行うことができるものである。
【００２３】
また、本実施例においては、押圧片１４の軸受部１６を筒状とし、これにベースフレーム６の軸部１３を嵌合しているが、図３０に示す如く軸受部１６′を断面半円状となしてもよい。
【００２４】
また、本実施例においては、波形に折曲した拡圧板ばね体１８を用いているが、図３１及び図３２に示す如く、断面Ｍ字形の拡圧板ばね体１８′や図３３乃至図３７に示す如き平面長円形に形成した拡圧板ばね体１８″を用いるようにしてもよい。
【００２５】
また、図３５乃至図３７は図３３に示した平面長円形に形成した拡圧板ばね体１８″を用いた場合の作用説明図であり、押圧片１４を閉じることによってその軸受部１６に形成した断面直角形状のカム１７が回動し、その最も高い部分である角部１７ａが拡圧板ばね体１８″を側面から押し出し、これを緊縮させるものである。したがって、このときには、該拡圧板ばね体１８″は、図３４の仮想線で示す如く、長さ方向の両端に位置する円曲部分が更に押し曲げられるものである。そして、図３６に示す如く、該カム１７の角部１７ａとベースフレーム６の軸部１３の中心１３ａとを通る線Ａがベースフレーム６の裏面壁７と平行になったときに死点となり、拡圧板ばね体１８″の緊縮状態は最高となる。そして、この位置を過ぎると、即ちカム１７の角部１７ａが線Ａよりずれると、今度は拡圧板ばね体１８″が弾性により元の形に戻ろうとして該カム１７の角部１７ａを押し出し、押圧片１４を閉じる方向に附勢するものである。尚、その他の構成は本実施例と同様であるから、詳細な説明は省略する。
【実施例２】
【００２６】
次に、本考案の実施例２について説明する。
図３８は要部の斜視図、図３９は要部の断面図である。
【００２７】
本実施例と前記実施例１との相違点は、掲示物の側縁を固定する部材において、前記実施例１が両面を剥離自在に貼着可能に処理したテープをもって構成しているのに対して、本実施例は左右側面に差込口２０ａ、２０ａを有する軸断面工字形の帯状板２０をもって構成した点にある。そして、本実施例においては両差込口２０ａ、２０ａに２枚のポスター等の掲示物の内側の側縁を差し込むものである。また、その他の構成、作用は前記実施例１と同様であるから、同一の部材には同一の符号を付して詳細な説明は省略する。尚、上下端部保持フレーム５、５′における押圧片１４の押さえ部１５は、該軸断面工字形の帯状板２０に当たらないように一部切欠１５′している。
【００２８】
２１、２１、２１′、２１′は側縁保持フレーム３、４の上下端部保持フレームの夫々に被着する保護キャップであり、これら保護キャップ２１、２１′は、対称形状に構成されている。ここではその内、特に側縁保持フレーム３の上端部に被着する保護キャップ２１について説明する。該保護キャップ２１は、角に丸みをつけた箱形をなし、底部の切欠部２１ａから側縁保持フレーム３の上端部を差し込み、該側縁保持フレーム３の中央空間部３Ｓに、内部中央に垂下する突起２１ｂを嵌合させるものである。また、２１ｃは該保護キャップ２１の内部に設けた、前記突起２１ｂと同方向に伸びる突条である。
【００２９】
２２、２２、２２′、２２′は上下端部保持フレーム５、５′における押圧片１４の左右端部に夫々被着する保護キャップであり、これら保護キャップ２２、２２′は対称形状に構成される。ここではその内、特に上端部保持フレーム５における押圧片１４の左側端部に被着する保護キャップ２２について説明する。該保護キャップ２２は、上端部保持フレーム５における押圧片１４の左側端部と略同形、同大の板状本体２２ａの内側面に、押圧片１４の中央空間部１４Ｓに嵌合させる突起２２ｂを設けてなるものである。
【００３０】
２３は上下端部保持フレーム５、５′における押圧片１４の閉止状態を保持するための断面Ｌ字形のロック部材である。また、該ロック部材２３は、押圧片１４が閉止状態にあるときに、その差込片２３ａを、上下端部保持フレーム５、５′のベースフレーム６における外側壁１２の上端部と押圧片１４における軸受部１６との隙間Ｓに差し込むものである。また、該ロック部材２３は、差込片２３ａと反対側の上端部に、斜め上方に摘み部２３ｂを一体的に形成している。
【図面の簡単な説明】
【００３１】
【図１】本考案の実施例１に係る掲示板の斜視図である。
【図２】掲示板における左側部分の拡大断面図である。
【図３】掲示板の左側外部上方から看た、パネルを省略して示した部分拡大斜視図である。
【図４】掲示板の左側内部下方から看た、パネルを省略して示した部分拡大斜視図である。
【図５】左側の側縁保持フレームの上端部に被着する保護キャップの正面図である。
【図６】同保護キャップの左側面図である。
【図７】同保護キャップの右側面図である。
【図８】同保護キャップの底面図である。
【図９】図６中Ａ−Ａ線断面図である。
【図１０】図７中Ｂ−Ｂ線断面図である。
【図１１】左側の側縁保持フレームの上端部に被着する保護キャップの左側上方から看た斜視図である。
【図１２】左側の側縁保持フレームの上端部に被着する保護キャップの右側下方から看た斜視図である。
【図１３】左側の側縁保持フレームの上端部に被着する保護キャップの左側下方から看た斜視図である。
【図１４】上側の上下端部保持フレームの左側端部に被着する保護キャップの正面図である。
【図１５】同保護キャップの左側面図である。
【図１６】同保護キャップの右側面図である。
【図１７】同保護キャップの背面図である。
【図１８】同保護キャップの平面図である。
【図１９】図１６中Ｃ−Ｃ線断面図である。
【図２０】ロック部材の正面図である。
【図２１】同ロック部材の平面図である。
【図２２】図２０中Ｄ−Ｄ線断面図である。
【図２３】図２０中Ｅ−Ｅ線断面図である。
【図２４】掲示板における中央部分の拡大断面図である。
【図２５】掲示板における上端部分の分解状態の斜視図である。
【図２６】外面側から看た上下端部保持フレームにおけるベースフレームと押圧片の部分拡大図である。
【図２７】上下端部保持フレームの押圧片を開いた状態の断面図である。
【図２８】上下端部保持フレームの押圧片が半分閉じて死点の位置にある状態の断面図である。
【図２９】上下端部保持フレームの押圧片を閉じた状態の断面図である。
【図３０】本考案の実施例１の変形例の要部断面図である。
【図３１】本考案の実施例１の他の変形例の斜視図である。
【図３２】本考案の実施例１の図１０に示した変形例の要部断面図である。
【図３３】本考案の実施例１の他の変形例の斜視図である。
【図３４】本考案の実施例１の図１２に示した変形例において用いる拡圧板ばね体の斜視図である。
【図３５】本考案の実施例１の図１２に示した変形例の上下端部保持フレームの押圧片を開いた状態の断面図である。
【図３６】本考案の実施例１の図１２に示した変形例の上下端部保持フレームの押圧片が半分閉じて死点の位置にある状態の断面図である。
【図３７】本考案の実施例１の図１２に示した変形例の上下端部保持フレームの押圧片を閉じた状態の断面図である。
【図３８】本考案の実施例２に係る掲示板の要部の斜視図である。
【図３９】掲示板における中央部分の拡大断面図である。
【符号の説明】
【００３２】
１  パネル
２  シート状掲示物
３、４  側縁保持フレーム
５、５′  上下端部保持フレーム
６  ベースフレーム
７  裏面壁
８  受片
９  受片
１０  突片
１１  突片
１２  外側壁
１３  軸部
１４  押圧片
１５  押さえ部
１６、１６′  軸受部
１７  カム
１８、１８′、１８″  拡圧板ばね体
１９、２０  掲示物の側縁を固定する部材
２１、２１′  保護キャップ
２２、２２′  保護キャップ
２３  ロック部材
【図１】
0003119948.tif 000003
【図２】
0003119948.tif 000004
【図３】
0003119948.tif 000005
【図４】
0003119948.tif 000006
【図５】
0003119948.tif 000007
【図６】
0003119948.tif 000008
【図７】
0003119948.tif 000009
【図８】
0003119948.tif 000010
【図９】
0003119948.tif 000011
【図１０】
0003119948.tif 000012
【図１１】
0003119948.tif 000013
【図１２】
0003119948.tif 000014
【図１３】
0003119948.tif 000015
【図１４】
0003119948.tif 000016
【図１５】
0003119948.tif 000017
【図１６】
0003119948.tif 000018
【図１７】
0003119948.tif 000019
【図１８】
0003119948.tif 000020
【図１９】
0003119948.tif 000021
【図２０】
0003119948.tif 000022
【図２１】
0003119948.tif 000023
【図２２】
0003119948.tif 000024
【図２３】
0003119948.tif 000025
【図２４】
0003119948.tif 000026
【図２５】
0003119948.tif 000027
【図２６】
0003119948.tif 000028
【図２７】
0003119948.tif 000029
【図２８】
0003119948.tif 000030
【図２９】
0003119948.tif 000031
【図３０】
0003119948.tif 000032
【図３１】
0003119948.tif 000033
【図３２】
0003119948.tif 000034
【図３３】
0003119948.tif 000035
【図３４】
0003119948.tif 000036
【図３５】
0003119948.tif 000037
【図３６】
0003119948.tif 000038
【図３７】
0003119948.tif 000039
【図３８】
0003119948.tif 000040
【図３９】
0003119948.tif 000041